(57)【要約】      （修正有）【課題】災害時に必要な便利な使い方乃至災害時の用具の作り方を図解入りで解説表示して、災害に速やかに対応できるようにしたゴミ袋収納容器乃至ゴミ袋本体を提供する。【解決手段】ゴミ袋収容容器乃至ゴミ袋本体の表面２の表示部３に、災害時に必要なゴミ袋の便利な使い方乃至ゴミ袋本体を用いた便利な用具の作り方を図解入りで解説表示した。【選択図】図２
0003226298.tif 000002
【実用新案登録請求の範囲】
【請求項１】
ゴミ袋収容容器乃至ゴミ袋本体の表面に、災害時に必要なゴミ袋本体の便利な使い方乃至ゴミ袋本体を用いた便利な用具の作り方の１又は２以上を図解入り解説表示部を設けたことを特徴とするゴミ袋。
【考案の詳細な説明】
【技術分野】
【０００１】
本考案は、その表面に災害時に便利な使い方等を図解入りで解説表示したゴミ袋に関するものである。
【背景技術】
【０００２】
従来防災グッズとしては、市販のゴミ入れ、ポリビニール袋等を用いて防水カッパ作成することが開示されている（特開２００６−２８３２６４号）。
【０００３】
また、着用マントの内側に多数の収納ポケットを取り付けた防災グッズが提案されている（実用新案登録第３１７７１９４号）。
【０００４】
災害時或いは緊急時には手近にあるものを防災グッズとして使用することが求められる。    
【先行技術文献】
【特許文献】
【０００５】
【特許文献１】特開２００６−２８３２６４号公報
【特許文献２】公報
【特許文献３】特開平９−１５０９０３号公報
【特許文献４】実用新案登録第３１４１３８７号公報
【考案の概要】
【考案が解決しようとする課題】
【０００６】
一方、ポリゴミ袋はその複数枚が常時家庭内に備えられている。
【０００７】
しかも、これらのゴミ袋は適当な大きさの袋状で、その材質であるポリエチレン等は防水性、可撓性、加工性があり、防災グッズ材質として最適である。
【０００８】
そこで、本願考案者は防災等を目的として、ゴミ袋を災害時に簡単に防災グッズ等として活用できるような図解入りのゴミ袋を提案するものである。
【０００９】
なお、ゴミ袋にハチ等のイラストを表示してカラスによる食い散らかしを防ぐ提案もされているが（特開平９−１５０９０３号、実用新案登録第３１４１３８７号）、これは本考案とは目的を異にしている。
【課題を解決するための手段】
【００１０】
ゴミ袋収納容器乃至ゴミ袋本体の表面に、災害時にゴミ袋の便利な使い方乃至災害時にゴミ袋を用いた便利な用具の作り方の１又は２以上を図解入りで解説表示部を設けたゴミ袋を提案するものである。
【００１１】
ここで、災害時にゴミ袋の便利な使い方としては、簡易ポリタンク、簡易足暖房具、防寒具として使い方を挙げることができる。
【００１２】
また、災害時にゴミ袋を用いた便利な用具の作り方としては、レインコート等の防災グッズの作り方を挙げることができる。
【考案の効果】
【００１３】
以上要するに、本考案によればゴミ袋収納容器乃至ゴミ本体に災害時に便利な使い方乃至災害時に用具の作り方について図解入りで解説表示部を設けることにより、わかりやすくなり、災害に速やかに対応することができる。
【図面の簡単な説明】
【００１４】
【図１】図１はゴミ袋収納容器の斜視図
【図２】図２は同上のゴミ袋収納容器を展開した状態での裏面紙表面を示す図
【図３】図３はゴミ袋本体に本考案を適用した実施例を示す図
【考案を実施するための形態】
【００１５】
ゴミ袋収容容器乃至ゴミ袋本体の表面に、災害時にゴミ袋の便利な使い方乃至災害時のゴミ袋を用いた便利な用具の作り方について図解入りの解説表示部を設けたゴミ袋。
【実施例１】
【００１６】
以下、図示に基づいて本考案を説明すると、１は外形寸法２３×１８×８cmの立方体形状のゴミ袋収納容器で、内部には４５リットルのポリエチレン製ゴム袋３０枚が収納されている。
【００１７】
図２はゴミ袋収納容器１を展開した状態での裏面紙表面２を示すもので、表面２には災害時にゴミ袋本体の便利な使い方、便利な用具の作り方について図解入りの解説表示部３が設けられる。
【００１８】
この実施例では災害時のゴミ袋本体の便利な使い方としては、簡易トイレとしての使い方、簡易ポリタンクとしての使い方、簡易足暖房具としての使い方、防寒具としての使い方が図解入りの解説表示がされる。
【００１９】
例えば、簡易トイレとしての使い方については図とともに「ポリ袋をかぶせる」、「中に新聞紙を入れる」等の解説がなされる。
【００２０】
また、ゴミ袋本体の災害時に便利な用具の作り方としては、簡易レインコートの作り方が図解入りの解説文が表示され、その作り方の手順が図とともに解説表示される。
【００２１】
更に、表面２には災害用伝言ダイヤル部４が表示される。
【００２２】
以上要するに、本考案によれば家庭に常備されるゴミ袋に災害時に、必要なゴミ袋の使い方を図解入りで解説されることにより、ゴミ袋を用いて災害時に便利な簡易トイレ、簡易ポリタンク、簡易足暖房具、防寒具が作成される。
【００２３】
また、ゴミ袋を用いた防災グッズの作成手順を図解入り解説文を表示することにより、レインコートを迅速に作成することができる。
【００２４】
なお、勿論ゴミ袋本体に本考案を適用してもよく、図３はゴミ袋本体５に設けられた表面２に図解入り解説表示部３，３、更に災害用伝言ダイヤル部４が設けられている。
【産業上の利用可能性】
【００２５】
以上要するに、本考案によれば家庭に常備されているゴミ袋に本来の用途に、防災としての新たな用途を加えたゴミ袋を提供できる。
【符号の説明】
【００２６】
１はゴミ袋の収納容器    
２はゴミ袋の収納容器の表面
３は図解入り解説表示部
４は災害用伝言ダイヤル部
５はゴミ袋本体
【図１】
0003226298.tif 000003
【図２】
0003226298.tif 000004
【図３】
0003226298.tif 000005
【手続補正書】
【提出日】令和2年1月28日(2020.1.28)
【手続補正１】
【補正対象書類名】明細書
【補正対象項目名】０００５
【補正方法】変更
【補正の内容】
【０００５】
【特許文献１】特開２００６−２８３２６４号公報
【特許文献２】実用新案登録第３１７７１９４号公報
【特許文献３】特開平９−１５０９０３号公報
【特許文献４】実用新案登録第３１４１３８７号公報
【手続補正書】
【提出日】令和2年3月4日(2020.3.4)
【手続補正１】
【補正対象書類名】実用新案登録請求の範囲
【補正対象項目名】全文
【補正方法】変更
【補正の内容】
【実用新案登録請求の範囲】
【請求項１】
ゴミ袋収容容器の表面に、災害時に必要なゴミ袋本体の便利な使い方乃至ゴミ袋本体を用いた便利な用具の作り方の１又は２以上を図解入り解説表示部を設けたことを特徴とするゴミ袋収容容器。
【請求項２】
ゴミ袋収納容器の内部に収納されたゴミ袋本体の表面に、災害時に必要なゴミ袋本体の便利な使い方乃至ゴミ袋本体を用いた便利な用具の作り方の１又は２以上を図解入り解説表示部を設けたことを特徴とするゴミ袋本体。
【手続補正２】
【補正対象書類名】明細書
【補正対象項目名】全文
【補正方法】変更
【補正の内容】
【考案の詳細な説明】
【技術分野】
【０００１】
本考案は、その表面に災害時に便利な使い方等を図解入りで解説表示したゴミ袋収容容器乃至ゴミ袋本体に関するものである。
【背景技術】
【０００２】
従来防災グッズとしては、市販のゴミ入れ、ポリビニール袋等を用いて防水カッパ作成することが開示されている（特開２００６−２８３２６４号）。
【０００３】
また、着用マントの内側に多数の収納ポケットを取り付けた防災グッズが提案されている（実用新案登録第３１７７１９４号）。
【０００４】
災害時或いは緊急時には手近にあるものを防災グッズとして使用することが求められる。    
【先行技術文献】
【特許文献】
【０００５】
【特許文献１】特開２００６−２８３２６４号公報
【特許文献２】実用新案登録第３１７７１９４号公報
【特許文献３】特開平９−１５０９０３号公報
【特許文献４】実用新案登録第３１４１３８７号公報
【考案の概要】
【考案が解決しようとする課題】
【０００６】
一方、ポリゴミ袋はその複数枚が常時家庭内に備えられている。
【０００７】
しかも、これらのゴミ袋は適当な大きさの袋状で、その材質であるポリエチレン等は防水性、可撓性、加工性があり、防災グッズ材質として最適である。
【０００８】
そこで、本願考案者は防災等を目的として、ゴミ袋を災害時に簡単に防災グッズ等として活用できるような図解入りのゴミ袋を提案するものである。
【０００９】
なお、ゴミ袋にハチ等のイラストを表示してカラスによる食い散らかしを防ぐ提案もされているが（特開平９−１５０９０３号、実用新案登録第３１４１３８７号）、これは本考案とは目的を異にしている。
【課題を解決するための手段】
【００１０】
その表面に、災害時にゴミ袋の便利な使い方乃至災害時にゴミ袋を用いた便利な用具の作り方の１又は２以上を図解入りで解説表示部を設けたゴミ袋収納容器乃至ゴミ袋本体を提案するものである。
【００１１】
ここで、災害時にゴミ袋の便利な使い方としては、簡易ポリタンク、簡易足暖房具、防寒具として使い方を挙げることができる。
【００１２】
また、災害時にゴミ袋を用いた便利な用具の作り方としては、レインコート等の防災グッズの作り方を挙げることができる。
【考案の効果】
【００１３】
以上要するに、本考案によればゴミ袋収納容器乃至ゴミ本体に災害時に便利な使い方乃至災害時に用具の作り方について図解入りで解説表示部を設けることにより、わかりやすくなり、災害に速やかに対応することができる。
【図面の簡単な説明】
【００１４】
【図１】図１はゴミ袋収納容器の斜視図
【図２】図２は同上のゴミ袋収納容器を展開した状態での裏面紙表面を示す図
【図３】図３はゴミ袋本体に本考案を適用した実施例を示す図
【考案を実施するための形態】
【００１５】
ゴミ袋本体を収納したゴミ袋収容容器の表面に、災害時にゴミ袋の便利な使い方乃至災害時のゴミ袋を用いた便利な用具の作り方について図解入りの解説表示部を設けたゴミ袋収容容器。
【実施例１】
【００１６】
以下、図示に基づいて本考案を説明すると、１は外形寸法２３×１８×８cmの立方体形状のゴミ袋収納容器で、内部には４５リットルのポリエチレン製ゴム袋３０枚が収納されている。
【００１７】
図２はゴミ袋収納容器１を展開した状態での裏面紙表面２を示すもので、表面２には災害時にゴミ袋本体の便利な使い方、便利な用具の作り方について図解入りの解説表示部３が設けられる。
【００１８】
この実施例では災害時のゴミ袋本体の便利な使い方としては、簡易トイレとしての使い方、簡易ポリタンクとしての使い方、簡易足暖房具としての使い方、防寒具としての使い方が図解入りの解説表示がされる。
【００１９】
例えば、簡易トイレとしての使い方については図とともに「ポリ袋をかぶせる」、「中に新聞紙を入れる」等の解説がなされる。
【００２０】
また、ゴミ袋本体の災害時に便利な用具の作り方としては、簡易レインコートの作り方が図解入りの解説文が表示され、その作り方の手順が図とともに解説表示される。
【００２１】
更に、表面２には災害用伝言ダイヤル部４が表示される。
【００２２】
以上要するに、本考案によれば家庭に常備されるゴミ袋に災害時に、必要なゴミ袋の使い方を図解入りで解説されることにより、ゴミ袋を用いて災害時に便利な簡易トイレ、簡易ポリタンク、簡易足暖房具、防寒具が作成される。
【００２３】
また、ゴミ袋を用いた防災グッズの作成手順を図解入り解説文を表示することにより、レインコートを迅速に作成することができる。
【００２４】
なお、勿論ゴミ袋本体に本考案を適用してもよく、図３はゴミ袋本体５に設けられた表面２に図解入り解説表示部３，３、更に災害用伝言ダイヤル部４が設けられている。
【産業上の利用可能性】
【００２５】
以上要するに、本考案によれば家庭に常備されているゴミ袋に本来の用途に、防災としての新たな用途を加えたゴミ袋収容容器乃至ゴミ袋本体を提供できる。
【符号の説明】
【００２６】
１はゴミ袋の収納容器    
２はゴミ袋の収納容器の表面
３は図解入り解説表示部
４は災害用伝言ダイヤル部
５はゴミ袋本体
【手続補正書】
【提出日】令和2年3月4日(2020.3.4)
【手続補正１】
【補正対象書類名】実用新案登録請求の範囲
【補正対象項目名】全文
【補正方法】変更
【補正の内容】
【実用新案登録請求の範囲】
【請求項１】
ゴミ袋収容容器の表面に、災害時に必要なゴミ袋本体の便利な使い方乃至ゴミ袋本体を用いた便利な用具の作り方の１又は２以上を図解入り解説表示部を設けたことを特徴とするゴミ袋収容容器。
【請求項２】
ゴミ袋収容容器の内部に収納されたゴミ袋本体の表面に、災害時に必要なゴミ袋本体の便利な使い方乃至ゴミ袋本体を用いた便利な用具の作り方の１又は２以上を図解入り解説表示部を設けたことを特徴とするゴミ袋本体。